(57)【要約】【課題】ワイヤレスコミュニケーションシステムに適用するコンポーネントキャリア(CC)失活タイマーの方法と装置を提供する。【解決手段】ワイヤレスコミュニケーションシステムに適用するコンポーネントキャリア(CC)失活タイマーの方法は、CC管理の第一媒体アクセス制御(MAC)制御素子(CE)を受信して、CC管理の第二MAC  CEを用いることにより既に起動している第一セカンダリーCC(SCC)を起動するステップと、その後、CC管理の第一MAC  CEに基づいて、第一SCCの失活タイマーを再開始する。【選択図】図6
2011239388.tif 000002
【特許請求の範囲】
【請求項１】
ワイヤレスコミュニケーションシステムに適用するコンポーネントキャリア(CC)失活タイマーの方法であって、
CC管理の第一媒体アクセス制御(MAC)制御素子(CE)を受信して、CC管理の第二MAC  CEを用いることにより既に起動している第一セカンダリーCC(SCC)を起動するステップと、
前記第一SCCの失活タイマーを再開始するステップと、
からなることを特徴とする方法。
【請求項２】
CC管理の前記第一MAC  CEが、プライマリーCC(PCC)、又は、前記第一SCCと異なる第二SCCで受信される時、既に起動している前記第一SCCの前記失活タイマーが再開始されることを特徴とする請求項1に記載の方法。
【請求項３】
前記第一SCCは、最初は、CC管理のMAC  CEにより運ばれる起動命令信号により起動されることを特徴とする請求項1に記載の方法。
【請求項４】
前記第一SCCが最初に起動される時、前記失活タイマーが開始されることを特徴とする請求項1に記載の方法。
【請求項５】
前記失活タイマーが期限切れの時、前記第一SCCが失活することを特徴とする請求項1に記載の方法。
【請求項６】
ワイヤレスコミュニケーションシステムに適用するコンポーネントキャリア(CC)失活タイマーの方法であって、
前記第一SCCの起動信号を運ぶCC管理の第一媒体アクセス制御(MAC)制御素子(CE)を受信することにより、第一セカンダリーコンポーネントキャリアを起動するステップと、
前記第一SCCが起動する時、前記第一SCCの失活タイマーを開始するステップと、
プライマリーCC(PCC)、又は、前記第一SCCと異なる第二SCC上で、CC管理の第二MAC  CEを受信し、既に起動している前記第一SCCを起動するステップと、
CC管理の前記第二MAC  CEの受信に基づいて、前記第一SCCの前記失活タイマーを再開始するステップと、
からなることを特徴とする方法。
【請求項７】
前記失活タイマーが期限切れの時、前記第一SCCが失活することを特徴とする請求項6に記載の方法。
【請求項８】
ワイヤレスコミュニケーションシステムのユーザー装置(UE)であって、前記UEは、
前記UEの機能を実現する制御回路と、
前記制御回路にインストールされ、プログラムコードを実行して、前記制御回路を制御するプロセッサと、
前記制御回路にインストールされ、前記プロセッサに結合されるメモリと、
からなり、
前記プロセッサは、メモリに保存されるプログラムコードを実行し、コンポーネントキャリア(CC)管理の第一媒体アクセス制御(MAC)制御素子(CE)を受信して、CC管理の第二MAC  CEを用いることにより、既に起動している第一セカンダリーCC(SCC)を起動し、前記第一SCCの失活タイマーを再開始するのに用いられることを特徴とするUE。
【請求項９】
CC管理の前記第一MAC  CEが、プライマリーCC(PCC)、又は、前記第一SCCと異なる第二SCC上で受信される時、既に起動している前記第一SCCの前記失活タイマーが再開始されることを特徴とする請求項8に記載のUE。
【請求項１０】
前記第一SCCは、最初は、CC管理のMAC  CEにより起動されることを特徴とする請求項8に記載のUE。
【請求項１１】
前記第一SCCが最初に起動する時、前記失活タイマーが開始されることを特徴とする請求項8に記載のUE。
【請求項１２】
前記失活タイマーが期限切れの時、前記第一SCCが失活することを特徴とする請求項8に記載のUE。
【発明の詳細な説明】
【技術分野】
【０００１】
本発明は、ワイヤレスコミュニケーションネットワークに関するものであって、特に、ワイヤレスコミュニケーションシステムに適用するコンポーネントキャリア失活タイマーの方法と装置に関するものである。
【背景技術】
【０００２】
携帯通信機器上におけるデータ通信需要量の急速な増加に伴って、公知の携帯音声通信ネットワークは、インターネットプロトコル(IP)データパケットと通信するネットワークに進化した。このようなIPデータパケット通信は、携帯通信機器のユーザーに、ボイスオーバーIP、マルチメディア、マルチキャスト、及び、オンデマンドの通信サービスを提供する。
【０００３】
発展型ユニバーサル地上無線アクセスネットワーク(E-UTRAN)は、規格上、常用される一種のネットワーク構造である。E-UTRANシステムは、高データスループットを提供し、上記のボイスオーバーIPとマルチメディアサービスを実現することができる。E-UTRANシステムの標準化作業は、現在、3GPP規格組織により実行されている。従って、3GPP規格を進化させ、整えるために、3GPP規格の実質を変化させることが提出、及び、考慮されている。
【発明の概要】
【発明が解決しようとする課題】
【０００４】
本発明は、ワイヤレスコミュニケーションシステムに適用するコンポーネントキャリア(CC)失活タイマーの方法と装置を提供し、上述の問題を解決することを目的とする。
【課題を解決するための手段】
【０００５】
一具体例によるワイヤレスコミュニケーションシステムに適用するコンポーネントキャリア(CC)失活タイマーの方法は、CC管理の第一媒体アクセス制御(MAC)制御素子(CE)を受信して、CC管理の第二MAC  CEを用いることにより既に起動している第一セカンダリーCC(SCC)を起動するステップと、第一SCCの失活タイマーを再開始するステップと、からなる。
【０００６】
別の具体例によるワイヤレスコミュニケーションシステムに適用するコンポーネントキャリア(CC)失活タイマーの方法は、第一SCCの起動信号を運ぶCC管理の第一MAC  CEを受信することにより、第一SCCを起動するステップと、第一SCCが起動する時、第一SCCの失活タイマーを開始するステップと、プライマリーCC(PCC)、又は、第一SCCと異なる第二SCC上のCC管理の第二MAC  CEを受信して、既に起動している第一SCCを起動するステップと、CC管理の第二MAC  CEの受信に基づいて、第一SCCの失活タイマーを再開始するステップと、からなる。
【０００７】
別の具体例によるワイヤレスコミュニケーションシステムに適用するユーザー装置(UE)は、UEの機能を実現する制御回路と、制御回路にインストールされ、プログラムコードを実行して、制御回路に命令するプロセッサと、制御回路にインストールされ、プロセッサに結合されるメモリと、からなる。プロセッサが設置されて、メモリに保存されたプログラムコードを実行し、コンポーネントキャリア(CC)管理の第一媒体アクセス制御(MAC)制御素子(CE)を受信して、CC管理の第一MAC  CEを用いることにより既に起動している第一セカンダリーCC(SCC)を起動し、第一SCCの失活タイマーを再開始する。
【発明の効果】
【０００８】
本発明の方法は、CC管理のMAC  CEの再利用により、複雑さが増さない。
【図面の簡単な説明】
【０００９】
【図１】一具体例によるワイヤレスコミュニケーションシステムを示す図である。
【図２】一具体例による図1のワイヤレスコミュニケーションシステムのユーザー計画プロトコルスタックを示す図である。
【図３】一具体例による図1のワイヤレスコミュニケーションシステムの制御計画プロトコルスタックを示す図である。
【図４】一具体例による送信システム(アクセスネットワーク)と受信システム(UE)を示す図である。
【図５】一具体例によるUEの機能ブロック図である。
【図６】別の具体例によるワイヤレスコミュニケーションシステムに適用するコンポーネントキャリア失活タイマーの方法を示す図である。
【図７】別の具体例によるワイヤレスコミュニケーションシステムに適用するコンポーネントキャリア失活タイマーの方法を示す図である。
【発明を実施するための形態】
【００１０】
以下で開示されるワイヤレスコミュニケーションシステムと装置は、ワイヤレスコミュニケーションシステムを使用し、ブロードキャストサービスをサポートする。ワイヤレスコミュニケーションシステムは、幅広く、様々なタイプの通信、例えば、音声、データ等を提供するのに用いられる。これらのシステムは、符号分割多重アクセス方式(CDMA)、時分割多重アクセス(TDMA)、直交周波数分割多元接続(OFDMA)、3GPP  LTE(Long  Term  Evolution)無線アクセス、3GPP  LTE-A(Long  Term  Evolution  Advanced)、3GPP2  UMB(Ultra  Mobile  Broadband)、WiMax、又は、その他の変調技術に基づく。
【００１１】
特に、以下で示されるワイヤレスコミュニケーションシステムは、一つ、又は、それ以上の規格、例えば、3GPPと称される"第三世代移動体通信システムの標準化プロジェクト"による規格をサポートするように設計され、文献番号R2-101846(“キャリアアグリゲーション”のステージ2の記述);3GPP  TS  36.331,  V.9.1.0(“Evolved  Universal  Terrestrial  Radio  Access  (E-UTRA);無線リソース制御(RRC)プロトコル仕様(Release  9)”);及び、3GPP  TS  36.321,  V.9.1.0(“Evolved  Universal  Terrestrial  Radio  Access  (E-UTRA);媒体アクセス制御(MAC)プロトコル仕様(Release  9)”)を含む。上述の規格と文献は、明細書に組み込まれる。
【００１２】
図1は、一具体例による発展型ユニバーサル地上無線アクセスネットワーク(E-UTRAN)100のネットワーク構造を示す図で、E-UTRAN100は移動通信システムである。E-UTRANシステムは、LTE(Long-Term  Evolution)システム、又は、LTE-A(Long-Term  Evolution  Advanced)とも称される。E-UTRANは、通常、eNode  B、又は、eNB  102を含み、携帯音声通信ネットワーク中の基地局と同様に機能する。各eNBはX2インターフェースにより接続される。eNBは、無線インターフェースにより、端子、又は、ユーザー装置(UE)104に接続され、S1インターフェースにより、モビリティ管理エンテティ(MME)、又は、サービングゲートウェイ(S-GW)106に接続される。
【００１３】
図2と図3を参照すると、一具体例によると、LTEシステムは、制御計画108プロトコルスタック(図3で示される)とユーザー計画110プロトコルスタック(図2で示される)に分けられる。制御計画は、UEとeNB間の制御信号の交換機能を実行し、ユーザー計画は、UEとeNB間のユーザーデータの伝送機能を実行する。図2と図3を参照すると、制御計画とユーザー計画は、パケットデータコンバージェンスプロトコル(PDCP)層、無線リンク制御(RLC)層、媒体アクセス制御(MAC)層、及び、物理(PHY)層を含む。制御計画は、更に、無線リソース制御(RRC)層を含む。制御計画は、また、ネットワークアクセスストラタム(NAS)層を含み、発展型パケットシステム(EPS)ベアラ管理、認証、及び、機密管理を含む別事象で実行される。
【００１４】
PHY層は、無線伝送技術を用いて、オープンシステムインターコネクション(OSI)層の第一層に対応して、情報伝送サービスを提供する。PHY層は、輸送チャネルにより、MAC層に接続される。MAC層とPHY層間のデータ交換は、輸送チャネルにより実行される。輸送チャネルは、特定データがPHY層で処理される方法により定義される。
【００１５】
MAC層は、適切な輸送チャネルにより、論理チャネルを経て、RLC層から伝送されるデータをPHY層に伝送する機能を実行し、更に、適切な論理チャネルにより、輸送チャネルを経て、PHY層から伝送されるデータをRLC層に伝送する機能を実行する。更に、MAC層は、追加情報を、論理チャネルにより受信されるデータに挿入し、輸送チャネルにより受信されるデータから、挿入された追加情報を分析し、適切な操作を実行して、ランダムアクセス操作を制御する。
【００１６】
MAC層とRLC層は、論理チャネルにより、互いに接続される。RLC層は論理チャネルの設定と出力を制御し、確認モード(AM)の操作モード、未確認モードの(UM)操作モード、及び、透過モード(TM)の操作モードの一つで操作する。一般に、RLC層は、上層から伝送されたサービスデータユニット(SDU)を、適切な尺寸で分配する。更に、RLC層は、自動再送要求(ARQ)により、エラー訂正機能を担当する。
【００１７】
PDCP層はRLC層上に設置され、IPパケット形式で伝送されるデータのヘッダー圧縮機能とデータ伝送機能を実行し、無線ネットワークコントローラー(RNC)が、UEの移動によるサービスの変換を提供する時でも、損失することがない。
【００１８】
RRC層は、制御計画だけで定義される。RRC層は、構築、再配置、及び、無線ベアラー(RBs)の釈放に関する論理チャネル、輸送チャネル、物理チャネルを制御する。ここで、RBは、端子とE-UTRAN間のデータ伝送のOSI層の第二層により提供されるサービスを示す。RRC接続が、UEのRRC層と無線ネットワークのRRC層間で構築される場合、UEはRRC接続モードである。反対に、UEはRRCアイドルモードである。
【００１９】
図4は、MIMOシステム200における送信システム210(アクセスネットワークとしても知られる)と受信システム250(アクセスターミナル、又は、UEとしても知られる)を示す図である。送信システム210で、データストリームのトラフィックデータが、データソース212から提供されて、(TX)データプロセッサ214を伝送する。
【００２０】
一例中、各データストリームは、個別の伝送アンテナにより伝送される。TXデータプロセッサ214は、データストリームのために選択された特定の符号化スキームに基づいて、各データストリームのトラフィックデータをフォーマット、符号化、インターリーブし、符号化データを提供する。
【００２１】
各データストリームの符号化データは、OFDM技術を用いて、パイロットデータと多重化される。一般に、パイロットデータは、既知の手段で処理される既知のデータパターンで、受信システムで用いられ、チャネル応答を推定する。各データストリームの多重化されたパイロットと符号化データは、その後、データストリームのために選択された特定の変調スキーム(BPSK、QPSK、M-PSK、又は、M-QAM)に基づいて変調され(符号マップ)、変調符号を提供する。各データストリームのデータレート、符号、及び、変調はプロセッサ230により実行される指令により決定される。
【００２２】
全データストリームの変調符号は、その後、TX  MIMOプロセッサ220に提供され、変調符号(OFDMを使用)を更に処理する。TX  MIMOプロセッサ220は、222tにより、NT変調符号ストリームをNT送信機(TMTR)222aに提供する。ある具体例中、TX  MIMOプロセッサ220は、ビーム形成比重を、データストリームの符号と、符号を伝送するアンテナに提供する。
【００２３】
各送信機222は、各自符号ストリームを受信、及び、処理して、一つ、又は、それ以上のアナログ信号を提供し、更に、アナログ信号を調節(増幅、フィルター、及び、アップコンバート)して、MIMOチャネルの伝送に適する変調された信号を提供する。送信機222a〜222tからのNT変調信号は、それぞれ、NTアンテナ224a〜224tに伝送される。
【００２４】
受信システム250で、伝送された変調信号は、NRアンテナs252a〜252rにより受信され、各アンテナ252からの受信信号は、各自受信機(RCVR)254a〜254rに提供される。各受信機254は、各受信信号を調節(フィルター、増幅、ダウンコンバート)し、調節された信号をデジタル化して、サンプルを提供し、サンプルを更に処理して、対応する“受信端”符号ストリームを提供する。
【００２５】
その後、RXデータプロセッサ260は、特定の受信機処理技術に基づいて、NR受信機254から、NR受信符号ストリームを受信、及び、処理し、NT“検出”符号ストリームを提供する。その後、RXデータプロセッサ260は、各検出された符号ストリームを復調、デインターリーブ、復号して、データストリームのトラフィックデータをリカバーする。RXデータプロセッサ260による処理は、送信システム210のTX  MIMOプロセッサ220とTXデータプロセッサ214により実行される動作を相補する。
【００２６】
プロセッサ270は、周期的に、使用したいプレコーディングマトリクスを決定する(以下で討論する)。プロセッサ270は、マトリクス指標部分とランク値部分からなる逆方向リンクメッセージを制定する。
【００２７】
逆方向リンクメッセージは、通信リンク、及び/又は、受信されたデータストリームに関係する様々な種類の情報を含む。逆方向リンクメッセージは、TXデータプロセッサ238により処理され、データソース236からのデータストリームのトラフィックデータを受信し、変調器280により処理され、送信機254a〜254rにより調節され、送信システム210に戻される。
【００２８】
送信システム210で、受信システム250からの変調信号は、アンテナ224により受信され、受信機222により調節され、復調器240により復調され、RXデータプロセッサ242により処理されて、受信システム250により伝送される逆方向リンクメッセージを抽出する。その後、プロセッサ230は、ビーム形成比重を決定する使用したいプレコーディングマトリクスを決定して、抽出されたメッセージを処理する。
【００２９】
図5は、別の具体例による通信機器を示す図である。ワイヤレスコミュニケーションシステム中の通信機器300が用いられて、図1のUE  104を実現し、ワイヤレスコミュニケーションシステムは、好ましくは、LTEシステム、LTE-Aシステム等である。通信機器300は、入力装置302、出力装置304、制御回路306、中央処理装置(CPU)308、メモリ310、プログラムコード312、及び、トランシーバ314を含む。プログラムコード312は、PHY層を除いて、上述のような応用層と制御計画108の層とユーザー計画110の層を含む。制御回路306は、CPU308により、メモリ310中で、プログラムコード312を実行し、これにより、通信機器300の操作を制御する。通信機器300は、入力装置302、例えば、キーボード、又は、キーパッドにより、ユーザーからの信号入力を受信し、出力装置304、例えば、モニター、又は、スピーカーにより、出力装置304からのイメージや音声を出力することができる。トランシーバ314は、無線信号の送受信に用いられ、受信信号を制御回路306に伝送し、無線方式で、制御回路306により生成される信号を出力する。
【００３０】
LTEダウンリンク(DL)伝送スキームは、直交周波数分割多元接続(OFDMA)に基づき、LTEアップリンク(UL)伝送スキームは、単一キャリア(SC)離散フーリエ転換(DFT)-展開OFDMA(DFT-S-OFDMA)、又は、等価の単一キャリア周波数分割多重アクセス(SC-FDMA)に基づく。しかし、LTE-Advanced(LTE-A)は、DLとUL両方で、高い帯域幅要件に符合するように設計される。高い帯域幅要件を提供するため、LTE-Aは、コンポーネントキャリアアグリゲーションを利用する。キャリアアグリゲーション(CA)の受信、及び/又は、伝送能力を有するユーザー装置(UE)は、同時に、複数のコンポーネントキャリア(CCs)で、受信、及び/又は、伝送を実行する。キャリアは、帯域幅と中心周波数により定義される。
【００３１】
LTE-A中、連続のバンド幅アグリゲーション、又は、非連続のバンド幅アグリゲーションでの操作が可能である。連続のバンド幅アグリゲーションは連続キャリアを用い、非連続のバンド幅アグリゲーションは非連続キャリアを用いる。集成されたキャリア数はULとDLで異なる可能性がある。ダウンリンクキャリアの数量がアップリンクキャリアと等しい時、対称アグリゲーションと称され、数量が異なる時、非対称アグリゲーションと称される。
【００３２】
CAに関係のある操作は、物理層中で、幾つかの物理制御チャネルを使用する。ダウンリンク物理制御チャネル(PDCCH)は、UEに、ページングチャネル(PCH)とダウンリンク共有チャネル(DL-SCH)のリソースアロケーション、及び、DL-SCHに関するハイブリッド自動再送要求(HARQ)情報を通知する。PDCCHは、アップリンクスケジューリングの授与指令を運び、UEに、アップリンク伝送のリソースアロケーションを通知する。物理制御フォーマット指示チャネル(PCFICH)は、UEに、PDCCHに用いられるOFDM符号の数量を通知し、各サブフレームで伝送される。物理ハイブリッド自動再送要求指示チャネル(PHICH)は、アップリンク伝送に対応して、HARQ  ACK/NAK信号を運ぶ。アップリンク物理制御チャネル(PUCCH)は、ダウンリンク伝送、スケジューリング要求とチャネル品質インジケーター(CQI)に対応して、アップリンク制御情報、例えば、HARQ  AC/NAKを運ぶ。物理アップリンク共有チャネル(PUSCH)はアップリンク共有チャネル(UL-SCH)を運ぶ。
【００３３】
キャリアは、プライマリーコンポーネントキャリア(PCC)とセカンダリーコンポーネントキャリア(SCC)に分けられる。PCCは、連続起動するキャリアに関係し、SCCは、特定の調節に従って起動、又は、失活するキャリアに関係する。起動は、トラフィックデータの伝送、又は、受信が実行される、又は、トラフィックデータが、関係するCCで、伝送、又は、受信を準備していることを意味する。失活は、トラフィックデータの伝送、又は、受信が関係するCCで許可されないことを意味する。UEは、単一PCCだけ、又は、PCCと共に、一つ、又は、それ以上のSCCを使用する。
【００３４】
APCCはeNBにより用いられて、トラフィックとPHY/MAC制御シグナリングとUEを交換する。各eNBのPCCが特定の要求と制御を受信する時だけ、SCCは、UEがトラフィックのために使用する追加キャリアである。最大制御情報がeNBとUE間で交換される時、PCCは全設定キャリアである。SCCは、全設定キャリア、又は、部分的設定キャリアで、UEの要求、又は、eNBの指令に従って割り当てられる。PCCは、UEをネットワークに進入させるか、SCCのアロケーションに用いられる。PCCは全設定キャリア間から設定され、特定のキャリアを固定使用するのではない。
【００３５】
DL  CC’の起動と失活は、MAC制御シグナリングを用いて実行される。従って、CC管理のために、MAC制御素子(CE)が提供され、少なくとも一つの起動命令、又は、失活命令(明確なCC失活)を含み、UEに、セカンダリーDL  CC’を設置する。CEは独特の論理チャネルID(LCID)により識別される。DL  SCCの実際の失活と起動シグナリングのために、CC管理のMAC  CEは4/5ビットのビットマップを有し、各ビットは、DL  CCの一つがUEに設置されることを示す。1に設定されるビットは対応するDL  CCの起動を表示し、0に設定されるビットは対応するDL  CCの失活を表示する。
【００３６】
潜在CC失活のタイマーが提供され、長さは、RRCにより各UEに設定される。DL  SCCが起動する時、失活タイマーは各CCで維持され、開始される。失活タイマーが期限切れ、又は、CC管理のMAC  CEが失活シグナリングを運ぶ時、DL  SCCは失活する。データ伝送期間、CCx(xは特定のCCを示す)上のPDCCHに基づいて、ダウンリンクスケジューリング伝送、又は、アップリンクスケジューリングで、CC上の特定の失活タイマーが再開始される。
【００３７】
上述のように、失活タイマーを再開始するのは、失活タイマーに対応するSCC上のPDCCHスケジューリングだけにより触発される。しかし、そんなに多くのトラフィックが進行していない、又は、時間的にトラフィックがない時、eNBは、幾つかのSCCを起動状態に維持することを選択する。幾つかのSCCを起動状態に維持することを選択する理由は、PDCCHがSCCでエラーを発生し、UEとeNB間で非同期、又は、不適合になったり、データが遅くに伝送される時、eNBが直接、SCC上でデータをスケジューリングするのを回避するためである。しかし、以下で示すように、進行するトラフィックが十分でない情況下で、電流トリガーにより失活タイマーを再開始し、eNBが幾つかのSCCを起動状態に維持するのは困難、且つ、不便である。eNBが幾つかのSCC’を起動状態に維持したい場合、eNBは、幾つかのSCCx上で、幾つかのPDCCHシグナリングを伝送して、それらを起動状態に維持しなければならない(即ち、失活タイマーを再開始して、期限切れを回避する)。十分なトラフィックが進行していない、又は、トラフィックがない場合、以下のような欠点が発生し、eNBは、あるPDCCHシグナリングを伝送して、UEのUL、又は、DLリソースにあるデータの伝送/受信を通知しなければならない。しかし、これらのデータは恐らく、余分なものである(十分なデータがない、又は、データがないからである)。よって、あるリソースが浪費される。この他、eNBがn回、SCCを起動状態に維持したい場合、eNBは、n回、PDCCHシグナリングを伝送しなければならないので、多くのPDCCHリソースを浪費する欠点も発生する。
【００３８】
図6は、既に起動しているSCCの失活タイマーの再開始をトリガーする方法の具体例を示す図である。方法400によると、既に起動しているSCCの失活タイマーは、CC管理のMAC  CEにより再開始され、SCC上のPDCCHスケジューリングによるものではない。本方法は、ステップ402で、CC管理の第一MACCEを受信し、CC管理の第二MAC  CEを用いることにより既に起動している第一SCCを起動するステップを含む。ステップ404で、第一SCCの失活タイマーは、CC管理の第一MAC  CEの受信に基づいて、再開始される。
【００３９】
図7は、CC管理のMAC  CEを用いて、失活したSCCを起動し、起動したSCCの失活タイマーを再開始する方法500の具体例を示す図である。ステップ502で、第一SCCは、CC管理のMAC  CEで運ばれる信号により起動される。ステップ504で、第一SCCの起動に基づいて、第一SCCの失活タイマーも起動される。ステップ506で、UEがCC管理のMAC  CEを受信し、MAC  CEが、PCC、又は、第一SCCと異なる第二SCCで受信され、既に起動している第一SCCを起動する時、ステップ508で、既に起動している第一SCCの失活タイマーは再開始される。よって、図6と7の具体例によると、CC管理のMAC  CEは、失活したSCCの第一起動に用いられるだけでなく、起動したSCCの失活タイマーの再開始にも用いられる。
【００４０】
上述の具体例によると、eNBは、各SCCで、PDCCHスケジューリングを伝送することだけに基づいて、各対応するSCCの失活タイマーを再開始する必要がない。上述の具体例によると、MAC制御シグナリングは、対応するSCCの失活タイマーの再開始に用いられる。更に、上述の具体例による方法は、CC管理のMAC  CEの再利用により、複雑さが増さない。
【００４１】
別の具体例によると、図5は、UEの機能ブロックを示す図である。UE  300は、メモリ310に保存されるプログラムコード312を有する。UEがCC管理の第一MACCEを受信して、CC管理の第二MAC  CEを用いて、既に起動している第一SCCを起動する時、CPU  308はプログラムコード312を実行して、第一SCCの失活タイマーを再開始する。
【００４２】
上述の実施例は様々な側面で描写される。ここでの教示は多種の方式で具体化され、範例中で開示されるあらゆる特定の構造、機能は代表的なものである。本文の教示に基づくと、当業者は、本文で開示される内容は、その他のある種の形式を独立して、又は、多種の形式を総合し実行できる。例えば、前文で提示されるあらゆる方式に基づいて、ある装置やある方法で実現される。この他、このような装置の実施、又は、一種の方式の実行は、あらゆる構造、機能性、又は、構造と機能性により、前文で討論される一種、又は、多種の形式上で実現される。例で上述の概念を説明すると、ある情況で、並列チャネルはパルス重複周波数に基づいて構築される。また、ある情況で、並列チャネルは、パルス位置、又は、オフセットに基づいて構築される。また、ある情況で、並列チャネルは時間ホッピングシーケンスに基づいて構築される。また、ある情況で、並列チャネルは、パルス重複周波数、パルス位置、又は、時間ホッピングシーケンスに基づいて構築される。
【００４３】
当該技術を熟知する者なら理解できるように、情報と信号は、様々な異なる技術と技巧で表現される。例えば、上述で引用されるデータ、指令、命令、情報、信号、ビット、符号、及び、チップは、電圧、電流、電磁波、磁界、又は、磁性粒子、光場、又は、光粒子、又は、それらの組み合わせにより表現される。
【００４４】
当該技術を熟知する者なら更に理解できるように、ここで開示される論理ブロック、モジュール、プロセッサ、手段、回路、演算ステップと各種情況は、電子ハードウェア(例えば、情報源符号化、又は、別の技術を用いて設計されるデジタル実現、アナログ実装、又は、それらの組み合わせ)、各種形式のプログラム、又は、指示を含んだデザインコード(ここでは、“ソフトウェア”、又は、“ソフトウェアモジュール”と称する)、又は、それらの組み合わせとして実行される。ハードウェアとソフトウェアの互換性を分かりやすくするため、多種の素子、ブロック、モジュール、回路、ステップは、以上の描写では、それらの機能性を主とする。Whetherこのような機能がハードウェア、又は、ソフトウェアとして実行されても、システム全体の特定のアプリケーションと設計制約に基づいて定められる。熟練した職人は、各特定のアプリケーションに、記述される機能を様々な方式で実現することができるが、この実現の決断は、本発明の領域を脱すると解釈されるべきではない。
【００４５】
この他、様々な論理ブロック、モジュール、及び、回路と各種情況は、集積回路(“IC”)、アクセスターミナル、又は、アクセスポイントで実施される。ICは、汎用プロセッサ、デジタル信号プロセッサ(DSP)、特定用途向け集積回路(ASIC)、フィールドプログラマブルゲートアレイ(FPGA)、又は、別のプログラム可能なロジック装置、離散ゲート、又は、トランジスタ論理、離散ハードウェア部品、電気部品、光学部品、機械部品、又は、それらの組み合わせを含み、記述された機能を実行し、IC内、IC外、又は、IC内外のコード、又は、指令を実行する。汎用プロセッサはマイクロプロセッサであるが、プロセッサは、公知のプロセッサ、コントローラー、マイクロコントローラー、又は、状態機械でもよい。プロセッサは、計算装置の組み合わせにより構成され、例えば、DSPとマイクロプロセッサの組み合わせ、複数のマイクロプロセッサ、一つ、又は、それ以上のマイクロプロセッサ、及び、DSPコア、又は、その他の類似の配置である。
【００４６】
開示されるプロセス中の特定の順序、又は、ステップの序列は、一例である。デザイン嗜好によると、プロセス中の特定の順序、又は、ステップの序列は、本発明の範囲内で再配置されることが分かる。付随する方法の主張は、サンプル順序で、各種ステップの素子を示し、プロセス中の特定の順序、又は、ステップの序列に制限されることを意味しない。
【００４７】
本発明の明細書で開示される方法とアルゴリズムのステップは、直接、プロセッサにより実行されるハードウェア、ソフトウェア、又は、それらの組み合わせ上に応用される。ソフトウェアモジュール(実行可能命令と関連データを含む)と別のデータは、データメモリ、例えば、RAMメモリ、フラッシュメモリ、ROMメモリ、EPROMメモリ、EEPROMメモリ、レジスタ、ハードディスク、リムーバブルディスク、CD-ROM、又は、公知技術のコンピュータ可読のストレージ媒体形式で保存される。サンプルストレージ媒体は、機器、例えば、コンピュータ/プロセッサ(説明を便利にするため、“プロセッサ”と称する)に結合され、このようなプロセッサは、ストレージ媒体から情報(コード)を読み取ったり、情報をストレージ媒体に書き込むことができる。サンプルストレージ媒体はプロセッサに整合される。ASICは、プロセッサとストレージ媒体を含む。ユーザー装置はASICを含む。つまり、プロセッサとストレージ媒体は、ユーザー装置中で、個別部品として存在する。この他、ある具体例中、適当なコンピュータプログラム製品はコンピュータ可読媒体を含み、コンピュータ可読媒体は、一つ、又は、それ以上の開示される実施例に相関するコードを含む。ある具体例中、コンピュータプログラム製品はパッケージ材料を含む。
【００４８】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４９】
100    E-UTRAN；
102    eNB；
104    UE；
106    サービングゲートウェイ(S-GW)；
108    制御計画；
110    ユーザー計画；
210    送信システム；
212、236    データソース；
214、238    TXデータプロセッサ；
220    TX  MIMOプロセッサ；
222a〜222t、314    トランシーバ；
254a〜254r    受信機；
224a〜224t、252a〜252r    アンテナ；
230、270    プロセッサ；
232、272    メモリ；
242、260    RXデータプロセッサ；
240    復調器；
250    受信システム；
280    変調器；
300    通信機器；
302    入力装置；
304    出力装置；
306    制御回路；
308    CPU；
310    メモリ；
312    プログラムコード；
314    トランシーバ
【図１】
2011239388.tif 000003
【図２】
2011239388.tif 000004
【図３】
2011239388.tif 000005
【図４】
2011239388.tif 000006
【図５】
2011239388.tif 000007
【図６】
2011239388.tif 000008
【図７】
2011239388.tif 000009
【外国語明細書】
2011239388000001.pdf